(57)【要約】【課題】長方形状の画像を取得しバッテリーグリップ部を本体と一体化した撮像装置においてより一層良好な操作性を確保し得る形態の撮像装置を提供する。【解決手段】長方形状の画像を取得する撮像装置１において、撮像光学系４８によって結像された光学像を受けて画像データを取得する撮像ユニット４１と、少なくとも撮像ユニットを内部に収納するボディ筐体１０と、ボディ筐体を第１姿勢で保持した場合用の第１の把持部１１と、ボディ筐体を第２姿勢で保持した場合用の第２の把持部２１と、ボディ筐体の外表面上における各所定の位置に配設される複数の操作部材とを具備し、ボディ筐体を第１姿勢で保持した場合とボディ筐体を第２姿勢で保持した場合とで複数の操作部材を操作する際の操作性が同等であるように第１の把持部と第２の把持部とのそれぞれの基準位置からの位置が略等しい位置に複数の操作部材のうち各保持に応じた所定の操作部材が配置されている。【選択図】図１
2020076830.tif 000002
【特許請求の範囲】
【請求項１】
長方形状の画像を取得する撮像装置において、
撮像光学系によって結像された光学像を受けて画像データを取得する撮像ユニットと、
少なくとも上記撮像ユニットを内部に収納するボディ筐体と、
上記ボディ筐体を第１姿勢で保持した場合用の第１の把持部と、
上記ボディ筐体を第２姿勢で保持した場合用の第２の把持部と、
上記ボディ筐体の外表面上における各所定の位置に配設される複数の操作部材と、
を具備し、
上記ボディ筐体を第１姿勢で保持した場合と、上記ボディ筐体を第２姿勢で保持した場合とで、上記複数の操作部材を操作する際の操作性が同等であるように、上記第１の把持部と上記第２の把持部とのそれぞれの基準位置からの位置が略等しい位置に、上記複数の操作部材のうち、それぞれの保持に応じた所定の操作部材が配置されていることを特徴とする撮像装置。
【請求項２】
上記第１把持部は、上記ボディ筐体の一側面近傍に設けられ、上記ボディ筐体を上記第１姿勢としたときに把持され、
上記第２把持部は、上記ボディ筐体の上記一側面に対して略直交する他側面近傍に設けられ、上記ボディ筐体を上記第２姿勢としたときに把持され、
上記複数の操作部材は、
上記ボディ筐体の前面において上記第１把持部の近傍に設けられる第１前面操作部材と、
上記ボディ筐体の前面において上記第２把持部の近傍に設けられる第２前面操作部材と、
上記ボディ筐体の背面において上記第１把持部の近傍に設けられる第１背面操作部材と、
上記ボディ筐体の背面において上記第２把持部の近傍に設けられる第２背面操作部材と、
を有することを特徴とする請求項１に記載の撮像装置。
【請求項３】
上記第１前面操作部材及び上記第２前面操作部材は押圧ボタン式操作部材であり、
上記第１背面操作部材及び上記第２背面操作部材はダイヤル回転式操作部材を含む
ことを特徴とする請求項２に記載の撮像装置。
【請求項４】
上記第１把持部は、当該第１把持部を把持する親指以外の手指によって支持される第１前面支持部と、当該第１把持部を把持する親指によって支持される第１背面支持部とを有し、
上記第２把持部は、当該第２把持部を把持する親指以外の手指によって支持される第２前面支持部と、当該第２把持部を把持する親指によって支持される第２背面支持部とを有し、
上記第１前面支持部と上記第１前面操作部材との間隔と、上記第２前面支持部と上記第２前面操作部材との間隔とが均等に形成され、
上記第１背面支持部と上記第１背面操作部材との間隔と、上記第２背面支持部と上記第２背面操作部材との間隔とが均等に形成されている
ことを特徴とする請求項２に記載の撮像装置。
【請求項５】
上記第１前面操作部材及び上記第２前面操作部材は、所定の設定動作の開始又は解除の切り換えを行う操作部材であり、
上記第１背面操作部材及び上記第２背面操作部材は、パラメータ値を変更する操作部材である
ことを特徴とする請求項２に記載の撮像装置。
【請求項６】
上記第１前面操作部材は、上記第１把持部を把持する手指のうちの親指以外の指を用いて操作され、
上記第１背面操作部材は、上記第１把持部を把持する手指のうちの親指を用いて操作され、
上記第２前面操作部材は、上記第２把持部を把持する手指のうちの親指以外の指を用いて操作され、
上記第２背面操作部材は、上記第２把持部を把持する手指のうちの親指を用いて操作されるように配置されており、
上記第１把持部を把持したときの上記第１前面操作部材の操作性と、上記第２把持部を把持したときの上記第２前面操作部材の操作性とは同等であり、
上記第１把持部を把持したときの上記第１背面操作部材の操作性と、上記第２把持部を把持したときの上記第２背面操作部材の操作性とは同等である
ことを特徴とする請求項２に記載の撮像装置。
【請求項７】
上記第２把持部は、上記第１グリップよりも幅広に形成され、内部にバッテリが収納されていることを特徴とする請求項２に記載の撮像装置。
【発明の詳細な説明】
【技術分野】
【０００１】
この発明は、長方形状の画像を取得する撮像装置であって、バッテリーグリップ部を本体と一体化した形態の撮像装置における操作部材の配置に関するものである。
【背景技術】
【０００２】
近年、撮像光学系により結像された光学像を撮像素子等の光電変換素子を用いて画像信号に変換し、取得された画像信号を所定の形態のデジタル画像データ（静止画像又は動画像のデジタルデータ）として半導体メモリ等の記憶媒体に記録し得るように構成されたいわゆるデジタルカメラ等の撮像装置が一般に実用化され広く普及している。
【０００３】
この種の撮像装置は、通常の場合、長方形状の画像を取得するように構成されている。この場合において、従来の撮像装置を用いて取得される長方形状の画像は、例えば、長辺を水平方向とし短辺を垂直方向とした形態のいわゆる「横長画像」とされるのが一般である。
【０００４】
したがって、従来の撮像装置の使用者（ユーザ）は、構図を決定する際には、撮影対象とする被写体の形態に応じて、若しくは撮影意図によって、「横長画像」とするか又は「縦長画像」とするかの選択を行う。この場合、「横長画像」を撮影する横位置撮影時と、「縦長画像」を撮影する縦位置撮影時とでは、撮像装置の姿勢を変える必要がある。
【０００５】
一方、従来のこの種の撮像装置においては、通常の場合、横位置撮影を行うのに最適となるように、装置表面上に配設する各種の操作部材の配置を工夫しているものが多い。
【０００６】
具体的には、例えば、撮像装置の一方の側面領域（主に右手で把持する領域）に、使用者が手のひらを用いて把持する把持部（グリップ部）を設け、この把持部の上面部位や前面部位，背面部位等の各所に各種の操作部材（シャッターリリースボタン，パラメータ値変更ダイヤル又はボタン等）を設けた構成としているものがある。さらに、撮像装置の前面におけるレンズ鏡筒装着部の周縁部近傍のうち把持部寄りの領域等にも、各種の操作部材を配置したものがある。
【０００７】
このような形態の撮像装置を手に持って使用する際には、使用者は、把持部を（主に右の）手のひらで把持することによって当該撮像装置を保持しつつ、当該把持部を把持する同じ（右）手の各指先を動かして、所望の操作部材を適宜のタイミングで操作する。
【０００８】
この場合において、従来の撮像装置においては、主に横位置撮影を行う際の姿勢を基準として、撮像装置を安定させて保持することができると同時に、当該装置を保持する同じ手の各指を用いて、無理せず違和感なく（人間工学に則して合理的に）、各操作部材の操作を行うことができるように、複数の操作部材の配置が工夫されている。このとき、横位置撮影を行うのに良好な操作性を得ることができる。
【０００９】
その一方で、同じ撮像装置を用いて縦位置撮影を行う場合には、上述したように、横位置撮影時とは異なる構え方になる。例えば、縦位置撮影時には、撮像装置の把持部を把持する（右）手を装置の上側若しくは下側に添えて当該撮像装置を保持するといったように、横位置撮影時とは異なる構え方になる。これと同時に、このような縦位置撮影時の構え方では、手指の不自然な動きを強いられることになることがある。したがって、従来構成の撮像装置を用いて縦位置撮影を行う際には、良好な操作性を得ることができないことがあった。
【００１０】
そこで、長方形状の画像を取得する撮像装置において、横位置撮影時と縦位置撮影時とのいずれの場合でも、把持部を把持し易くかつ安定した状態で装置を保持することができるように工夫した撮像装置が、例えば特開２０１８−４５１７８号公報等によって種々提案されている。
【００１１】
上記特開２０１８−４５１７８号公報等によって開示されている撮像装置は、前面から見た形状が正方形のカメラボディにおいて、カメラボディの中心に撮像光学系が位置しており、撮像光学系の光軸に水平及び垂直に直交する二軸に対してそれぞれ線対称となる位置にグリップ部が形成されている。そして、カメラボディを前面から見た場合に、円環状のグリップ部の中心に撮像光学系が位置している。さらに、シャッターリリーススイッチを作用させる操作部材を２つ設け、この２個の操作部材は光軸との直交軸に対して線対称となる位置にそれぞれ配置している。
【先行技術文献】
【特許文献】
【００１２】
【特許文献１】特開２０１８−４５１７８号公報
【発明の概要】
【発明が解決しようとする課題】
【００１３】
ところが、上記特開２０１８−４５１７８号公報等によって開示されている撮像装置においては、横位置撮影時用と縦位置撮影時用とのそれぞれに、専用のグリップ部及び専用のシャッタリリーススイッチを設けることについての構成が開示されているが、その他の操作部材については特に言及されていない。
【００１４】
したがって、シャッターリリーススイッチ以外の操作部材、例えば、撮像装置を用いての撮影中に、各種のパラメータ値を変更したり、変更したパラメータ値を反映させた表示画像を確認する等のために使用する操作部材を複数備え、より高度な撮影技術を必要とする形態のより複雑化した撮像装置に対しては、上記特開２０１８−４５１７８号公報等によって開示されている工夫を適用するだけでは足りない。
【００１５】
一方、従来の撮像装置に対して、既存の操作部材とは別に、同様の機能を有する縦位置撮影専用の複数の操作部材を、さらに配設することは、スペース的な問題から困難であった。
【００１６】
他方、近年においては、バッテリーパックを複数個収納可能に形成され、かつ縦位置撮影に適するように形成された把持部ユニット（バッテリーグリップ）を、撮像装置本体と一体に形成した形態の撮像装置が種々実用化されている。
【００１７】
この種の形態の撮像装置、即ちバッテリーグリップ一体型の撮像装置においては、バッテリーパックを収納する部分を縦位置撮影用の把持部（縦位置グリップ）として形成することから、装置自体の表面積が増加する形態となるので、縦位置撮影専用の複数の操作部材を増設する余裕を確保することができる。
【００１８】
したがって、バッテリーグリップ一体型の撮像装置は、縦位置撮影時にも、横位置撮影時と同じような持ち方や構え方ができるようになると同時に、縦位置撮影時と横位置撮影時とで略同様の操作性を確保することができるようになる。
【００１９】
本発明は、上述した点に鑑みてなされたものであって、その目的とするところは、長方形状の画像を取得する撮像装置であって、バッテリーグリップ部を本体と一体化して構成される撮像装置において、より一層良好な操作性を確保し得る形態の撮像装置を提供することである。
【課題を解決するための手段】
【００２０】
上記目的を達成するために、本発明の一態様の撮像装置は、長方形状の画像を取得する撮像装置において、撮像光学系によって結像された光学像を受けて画像データを取得する撮像ユニットと、少なくとも上記撮像ユニットを内部に収納するボディ筐体と、上記ボディ筐体を第１姿勢で保持した場合用の第１の把持部と、上記ボディ筐体を第２姿勢で保持した場合用の第２の把持部と、上記ボディ筐体の外表面上における各所定の位置に配設される複数の操作部材と、を具備し、上記ボディ筐体を第１姿勢で保持した場合と、上記ボディ筐体を第２姿勢で保持した場合とで、上記複数の操作部材を操作する際の操作性が同等であるように、上記第１の把持部と上記第２の把持部とのそれぞれの基準位置からの位置が略等しい位置に、上記複数の操作部材のうち、それぞれの保持に応じた所定の操作部材が配置されている。
【発明の効果】
【００２１】
本発明によれば、長方形状の画像を取得する撮像装置であって、バッテリーグリップ部を本体と一体化して構成される撮像装置において、より一層良好な操作性を確保し得ると共に、操作ミスを軽減できる形態の撮像装置を提供することができる。
【図面の簡単な説明】
【００２２】
【図１】本発明の一実施形態の撮像装置の前面の平面図
【図２】本発明の一実施形態の撮像装置の背面の平面図
【図３】本発明の一実施形態の撮像装置の右側面の平面図
【図４】本発明の一実施形態の撮像装置の底面の平面図
【図５】本発明の一実施形態の撮像装置の電気的な内部構成の概略を示すブロック構成図
【図６】本発明の一実施形態の撮像装置を第１姿勢として第１グリップが把持されている際の撮像装置の前面の平面図
【図７】図６の状態における撮像装置の右斜め上方から前面側を見た際の斜視図
【図８】図６の状態における撮像装置の右側面の平面図
【図９】図６の状態における撮像装置の背面の平面図であって、右手親指で第１ジョイスティックを操作している状態を示す図
【図１０】図６の状態における撮像装置の背面の平面図であって、右手親指で第１リアボタンを操作している状態を示す図
【図１１】本発明の一実施形態の撮像装置を第２姿勢として第２グリップが把持されている際の撮像装置の前面の平面図
【図１２】図１１の状態における撮像装置の右斜め上方から前面側を見た際の斜視図
【図１３】図１１の状態における撮像装置の底面の平面図
【図１４】図１１の状態における撮像装置の背面の平面図であって、右手親指で第２ジョイスティックを操作している状態を示す図
【図１５】図１１の状態における撮像装置の背面の平面図であって、右手親指で第２リアボタンを操作している状態を示す図
【図１６】本発明の一実施形態の撮像装置の作用の流れを概略的に示すフローチャート
【図１７】図１６のステップＳ１６の処理（モード設定，撮像パラメータ調節制御処理）の詳細を示すフローチャート
【発明を実施するための形態】
【００２３】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２４】
本発明の一実施形態は、例えば撮像光学系により結像された光学像を、例えばＣＣＤ（Charge Coupled Device；電荷結合素子）イメージセンサーやＣＭＯＳ（Complementary Metal Oxide Semiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記録すると共に、この記憶媒体に記録されたデジタル画像データに基いて静止画像又は動画像を再生表示する画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成された撮像装置、例えばデジタルカメラやビデオカメラ等を例示するものである。
【００２５】
なお、本実施形態においては、撮像装置の各面について以下のように定義する。撮像装置の使用時において被写体に対向する面を前面というものとする。また、撮像装置の使用時に使用者（ユーザ）が対面する面を背面というものとする。そして、撮像装置に設けられる複数の操作部材のうち、例えば電子ビューファインダーが配設されている部位に近い面を上面というものとする。さらに、撮像装置の上面に対向する面を底面というものとする。また、撮像装置の通常の使用姿勢（横位置撮影時の姿勢）で両側に配置される面を左側面及び右側面というものとする。この場合における左右の判別は、使用者が撮像装置の背面に向かって見たときの左側又は右側をそれぞれ左又は右として区別するものとする。
【００２６】
また、本実施形態において、撮像光学系の光軸を符号Ｏで表す。この光軸Ｏに沿う方向において、撮像装置の前面に対向する被写体のある側を前方というものとし、撮像装置の背面側に配置される表示装置のある側を後方というものとする。
【００２７】
［一実施形態］
まず、本発明の一実施形態の撮像装置の概略構成を、図１〜図５を用いて以下に説明する。
【００２８】
以下に説明する本実施形態の撮像装置は、撮像装置本体に対してレンズ鏡筒ユニットが着脱自在に構成される形態の、いわゆるレンズ交換式撮像装置として例示している。しかしながら、本発明を適用し得る撮像装置の形態としては、この種のレンズ交換式撮像装置に限られることはない。例えば、撮像装置本体とレンズ鏡筒ユニットとが一体に設けられる形態の、いわゆるレンズ一体式撮像装置に対しても、全く同様に適用することができる。
図１〜図５は、本発明の一実施形態の撮像装置を示す図である。このうち、図１は本発明の一実施形態の撮像装置の前面の平面図である。図２は本実施形態の撮像装置の背面の平面図である。図３は本実施形態の撮像装置の右側面の平面図である。図４は本実施形態の撮像装置の底面の平面図である。図５は本実施形態の撮像装置の電気的な内部構成の概略を示すブロック構成図である。
【００２９】
なお、図１，図３においては、撮像装置の前面に配設される複数の操作部材（詳細後述）を明示するために、当該撮像装置の前面に着脱自在に若しくは一体に装着されるレンズ鏡筒ユニットの図示を省略している（後述する図６以下においても同様）。
【００３０】
本実施形態の撮像装置１は、図１〜図４及び図５に示すように、ボディ筐体１０と、このボディ筐体１０の外表面上の所定の部位にそれぞれ配設される各種の構成部材（図１〜図４等参照）と、当該ボディ筐体１０の内部の所定の部位にそれぞれ配設される各種の構成部材（図５参照）等によって構成されている。
【００３１】
ボディ筐体１０は、本撮像装置１の基本構造体であって、本撮像装置１を構成する各種の構成ユニットの外部を覆うように構成され、かつ内部空間には、それらの各種構成ユニットが収納される筐体である。ボディ筐体１０は、正面から見て略正方形状に近い形状に形成されている。なお、図示を省略しているが、ボディ筐体１０の前面には、レンズ鏡筒ユニットが装着されている。
【００３２】
ボディ筐体１０の外表面上には、所定の部位に各種の構成部材が配設されている（図１〜図４参照）。例えば、ボディ筐体１０の外表面には、第１グリップ１１（第１把持部）と、第２グリップ２１（第２把持部）と、複数の操作部材（１２〜１８，２２〜２８，３３）と、マウントリング３２と、電子ビューファインダー（ＥＶＦ）３４と、背面モニター３５等が配設されている。
【００３３】
第１グリップ１１は、ボディ１０の一側面近傍に設けられ、横位置撮影時に使用者が右手で把持する第１の把持部である。ここで、撮像装置１の横位置撮影時の姿勢を通常使用時の基準姿勢とする。そして、この通常使用時の基準姿勢（横位置撮影時の姿勢）を、以下の説明においては、第１姿勢というものとする。この第１姿勢は、撮像装置１の上面を上側に、底面を下側に配置した状態となる（図１参照）。
【００３４】
つまり、第１グリップ１１は、撮像装置１を第１姿勢としたときに、当該撮像装置１の背面から見て右側面寄りの一側面近傍に配設されている。
【００３５】
ここで、第１グリップ１１は、全体として当該撮像装置１の前面から前方へ向けて突出するように形成されている。さらに、第１グリップ１１の前面側において、上面寄りの所定の領域（図１，図３の符号Ａ１参照）は、それ以外の領域（図１，図３の符号Ｂ１参照）における上面寄りの部位に対して前方に突出するように形成されている。
【００３６】
この構成により、第１グリップ１１は、撮像装置１の前面側において、上面寄りの所定の領域Ａ１と、それ以外の領域Ｂ１との間で第１段差部１１ａが形成されている。この第１段差部１１ａは、詳細は後述するが、使用者が第１グリップ１１を右手で把持したときに、当該右手の中指の付け根近傍から第二，第三関節近傍が当接して当該撮像装置１の保持状態を維持するための第１前面支持部として機能する部位である（図６〜図８参照）。
【００３７】
また、第１グリップ１１は、撮像装置１の背面において、右側縁部のやや上面寄りの所定の領域（図２，図３の符号Ｃ１参照）に、後方に向けて突出する第１背面突出部である第１サムグリップ１１ｂが形成されている。ここで、当該第１サムグリップ１１ｂは、図３に示すように、撮像装置１の上面から底面に向けてなだらかに下降傾斜する傾斜面１１ｂｂを有して形成されている。この第１サムグリップ１１ｂは、詳細は後述するが、使用者が第１グリップ１１を右手で把持したときに、当該右手の親指の付け根近傍から第二関節近傍が当接して当該撮像装置１の保持状態を維持するための第１背面支持部として機能する部位である（図７〜図１０参照）。
【００３８】
このように、第１グリップ１１を右手で把持して行う際の撮影が横位置撮影となり、このときの撮像装置１の姿勢が第１姿勢である。
【００３９】
第２グリップ２１は、ボディ１０の一側面に対して略直交する他側面近傍に設けられ、内部にバッテリーパックを複数個収納可能に形成され、縦位置撮影時に使用者が右手で把持する第２の把持部として機能するいわゆるバッテリーグリップの形態に形成されている部位である。そのために、第２グリップ２１は、第１グリップ１１よりも奥行き方向（前後方向）における幅寸法が若干幅広となるように形成されている。
【００４０】
ここで、撮像装置１の縦位置撮影時の姿勢は、第１グリップ１１が上側に配置される姿勢であって、上記第１姿勢に対して光軸Ｏ周りに角度略９０度回転した姿勢である。そして、このときの姿勢を、以下の説明においては、第２姿勢というものとする。この第２姿勢は、撮像装置１の右側面を上側に左側面を下側に配置した状態である（後述する図１１等参照）。
【００４１】
なお、以下の説明では、当該撮像装置１が図１に示す第１姿勢の状態にあるものとして、上下左右を示すものとする。
【００４２】
第２グリップ２１は、撮像装置１を第１姿勢としたときに、当該撮像装置１の背面から見て底面（右側面に対して略直交する他側面）近傍に配設されている（図１，図９等参照）。換言すると、第２グリップ２１は、撮像装置１を第２姿勢としたときには、当該撮像装置１の背面から見て右側面近傍に配設されている（図１１，図１４等参照）。
【００４３】
ここで、第２グリップ２１は、第１グリップ１１と略同様に、全体として当該撮像装置１の前面から前方へ向けて突出するように形成されている。さらに、第２グリップ２１は、撮像装置１の前面側において、第１姿勢にあるときの底面寄りの所定の領域（図１，図４の符号Ａ２参照）が、それ以外の領域（図１，図４の符号Ｂ２参照）における（背面から見て）右寄りの部位に対して前方に突出するように形成されている。
【００４４】
この構成により、第２グリップ２１は、撮像装置１の前面側において、第１姿勢にあるときの底面寄りの所定の領域Ａ２と、それ以外の領域Ｂ２との間に、第２段差部２１ａが形成されている。この第２段差部２１ａは、詳細は後述するが、使用者が第２グリップ２１を右手で把持したときに、上記第１グリップ１１と同様に、当該右手の中指の付け根近傍から第二，第三関節近傍が当接して当該撮像装置１の保持状態を維持するための第２前面支持部として機能する部位である（図１１〜図１３参照）。
【００４５】
また、第２グリップ２１は、撮像装置１の背面において、底面縁部のやや右側面寄りの所定の領域（図２，図４の符号Ｃ２参照）に、後方に向けて突出する第２背面突出部である第２サムグリップ２１ｂが形成されている。ここで、当該第２サムグリップ２１ｂは、図４に示すように、撮像装置１の第２姿勢にあるときの上側から下側に向けてなだらかに下降傾斜する傾斜面２１ｂｂを有して形成されている。この第２サムグリップ２１ｂは、詳細は後述するが、使用者が第２グリップ２１を右手で把持したときに、当該右手の親指の付け根近傍から第二関節近傍が当接して当該撮像装置１の保持状態を維持するための第２背面支持部として機能する部位である（図１１〜図１３参照）。
【００４６】
このように、第２グリップ２１を右手で把持して行う際の撮影が縦位置撮影となり、このときの撮像装置１の姿勢が第２姿勢である。
【００４７】
ボディ筐体１０の外表面上に設けられる構成部材のうちマウントリング３２は、当該ボディ筐体１０に対してレンズ鏡筒ユニット（不図示）を装着するための連結部材である。このマウントリング３２は、図１に示すように、ボディ筐体１０の前面側の略中央部近傍に形成される前面開口１０ａの周縁部に配設されている。
【００４８】
なお、ボディ筐体１０の前面開口１０ａは、当該撮像装置１の前方にある被写体からの光束をレンズ鏡筒ユニットの撮像光学系（不図示）を介してボディ筐体１０の内部に設けられる撮像素子３１の受光面へと入射させるための開口である。そのために当該前面開口１０ａによって露呈される当該撮像装置１のボディ筐体１０の内部には、撮像素子３１が、その受光面を前方に向けて配設されている。
【００４９】
また、ボディ筐体１０の外表面上に設けられる構成部材のうち電子ビューファインダー（ＥＶＦ；Electronic View Finder）３４及び背面モニター３５は、撮像素子３１を含む撮像ユニットである撮像部４１（後述；図５参照）によって取得される画像データに基く画像を表示する表示装置である。また、電子ビューファインダー３４及び背面モニター３５は、これら画像データに基づく画像の表示に加えて、当該表示画像に重畳させて、当該表示中の画像データに関連する関連情報も表示する。さらに、電子ビューファインダー３４及び背面モニター３５は、各種の設定プログラムが起動される設定モード時には、設定メニューの一覧表示を行う。
【００５０】
このうち、電子ビューファインダー３４は、例えば比較的小型の（例えば０．５型程度の）表示パネルを備え、拡大光学系を介して使用者が覗き込む形態に構成される表示装置である。また、背面モニター３５は、例えば撮像装置１の背面部に固定若しくは可動自在に設けられ、比較的大型の（例えば３型程度の）表示パネルを備えて構成される表示装置である。
【００５１】
電子ビューファインダー３４及び背面モニター３５は、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ，プラズマディスプレイ（ＰＤＰ；Plasma Display）等の表示パネルと、それらの駆動回路等を含んで構成されている。
【００５２】
なお、電子ビューファインダー３４及び背面モニター３５は、いずれも、略同等の機能を有する構成ユニットである。したがって、撮像装置１の使用時には、電子ビューファインダー３４及び背面モニター３５のいずれか一方が選択されて使用され、適宜切り換えて使用することができるように構成されている。
【００５３】
また、背面モニター３５には、表示パネルの表示面上に操作部材としてのタッチパネルを設けて構成してもよい。ここで、タッチパネル（不図示）は、背面モニター３５の表示パネルの表示面上に配置されて、使用者が表示パネルに表示中の画像に対応する所定領域や各種アイコン表示に相当する領域等に対してタッチ操作やスライド操作，ピンチ操作，スワイプ操作，フリック操作等を行って、各種の操作指示信号を発生するよう構成された操作部材である。このタッチパネルからの指示入力信号は、例えば制御部４２（後述；図５参照）へと送られて対応する指示信号に応じた処理や制御が実行される。
【００５４】
本実施形態の撮像装置１のボディ筐体１０の外表面上に設けられる複数の操作部材は、第１シャッターボタン１２，第２シャッターボタン２２と、第１フロントダイヤル１３，第２フロントダイヤル２３と、第１フロントＡボタン１４，第２フロントＡボタン２４と、第１フロントＢボタン１５，第２フロントＢボタン２５と、第１リアボタン１６，第２リアボタン２６と、第１リアダイヤル１７，第２リアダイヤル２７と、第１ジョイスティック１８，第２ジョイスティック２８と、レンズ取り外しボタン３３等がある。
【００５５】
なお、本撮像装置１に設けられる操作部材としては、上述したもの以外にも存在するが、それらは、本発明に直接関連しない部材であるので、それらの詳細説明は省略する。
【００５６】
これらの操作部材のうち、第１シャッターボタン１２，第２シャッターボタン２２は、撮像動作の開始を指示する指示信号（自動露出開始信号，自動焦点調節信号，シャッターリリース信号等）を発生させる操作部材である。これら第１シャッターボタン１２，第２シャッターボタン２２は、例えば押圧操作式の操作部材（押しボタン部材）が適用される。
【００５７】
第１フロントダイヤル１３，第２フロントダイヤル２３及び第１リアダイヤル１７，第２リアダイヤル２７は、設定されている動作モードに関連するパラメータ値を変更指示する指示信号（ＡＦターゲット選択設定，露出補正設定，ＩＳＯ感度設定，ホワイトバランス設定，マルチファンクション設定（ハイライト＆シャドウコントロール，カラークリエーター，拡大，アスペクト比設定の切り換え），フリッカースキャン設定，ＮＤフィルター設定，シャッター速度値設定，絞り値設定等）を発生させる操作部材である。これら第１フロントダイヤル１３，第２フロントダイヤル２３及び第１リアダイヤル１７，第２リアダイヤル２７は、例えば回転式の操作部材（回転ダイヤル部材）が適用される。
【００５８】
第１フロントＡボタン１４，第２フロントＡボタン２４及び第１フロントＢボタン１５，第２フロントＢボタン２５は、所定の設定動作（露出補正設定，ＩＳＯ感度設定，ホワイトバランス設定，ＡＦホームポジション動作（ＡＦターゲットを規定位置に戻す動作），画質設定切換動作（ＲＡＷ＋ＪＰＥＧ設定とＪＰＥＧ設定との切換動作），試し撮り動作（記録を伴わない撮影動作），デジタルテレコン動作，デジタルシフト動作，フィッシュアイ補正動作，表示拡大動作，ＨＤＲ撮影動作，ブラケット撮影動作（ＡＥ，ＷＢ，ＦＬ，ＩＳＯ，ＡＲＴ），ピーキング表示，水準器表示，ＯＶＦシミュレーション表示，モニタ切換動作，ＡＦリミッター切換動作，手振れ補正動作，プレビュー動作等）の開始又は解除の切り換え（オンオフ切り換え）を指示する指示信号を発生させる操作部材である。
【００５９】
このように、これら第１フロントＡボタン１４，第２フロントＡボタン２４及び第１フロントＢボタン１５，第２フロントＢボタン２５には、各種の機能を割り当てることができる。そして、これら第１フロントＡボタン１４，第２フロントＡボタン２４及び第１フロントＢボタン１５，第２フロントＢボタン２５は、例えば押圧操作式の操作部材（押しボタン部材）が適用される。
【００６０】
第１リアボタン１６，第２リアボタン２６は、主にＡＥ（自動露出設定）ロック及びＡＦ（オートフォーカス）ロックのオンオフ切り換えを行う指示信号を発生させる操作部材である。これら第１リアボタン１６，第２リアボタン２６は、押圧操作式の操作部材（押しボタン部材）が適用される。なお、第１リアボタン１６，第２リアボタン２６は、基本設定によって、その他の機能を割り当てることも可能である。
【００６１】
第１ジョイスティック１８，第２ジョイスティック２８は、固定面（ボディ筐体１０の背面）に対して傾倒動作可能に軸支された軸状部材を、支持軸周りに傾倒操作することによって、二次元平面上の位置情報を入力すると共に、設定した情報を押圧操作にて決定する操作部材である。この第１ジョイスティック１８，第２ジョイスティック２８は、例えばフォーカスポイントの選択操作等に用いられる。これら第１ジョイスティック１８，第２ジョイスティック２８も、基本設定によって、その他の機能を割り当てることが可能である。
【００６２】
なお、上述した各操作部材については、撮像装置１が撮影動作モードにあるときと、再生動作モードにあるときとでは、異なる機能が割り宛てられている場合がある。しかしながら、本発明は、主に撮影動作モード時における操作性の向上を目的としていることから、各操作部材における再生動作モード時の機能についての説明は省略する。
【００６３】
また、レンズ取り外しボタン３３は、当該撮像装置１のボディ筐体１０の前面開口１０ａのマウントリング３２に対して装着状態にあるレンズ鏡筒ユニット（不図示）を取り外す際に、装着係止状態を解除するための操作部材である。このレンズ取り外しボタン３３は、前面開口１０ａの周縁部近傍に配設されている。
【００６４】
上述した複数の操作部材のうち、第１シャッターボタン１２，第２シャッターボタン２２と、第１フロントダイヤル１３，第２フロントダイヤル２３と、第１リアボタン１６，第２リアボタン２６と、第１リアダイヤル１７，第２リアダイヤル２７とは、第１グリップ１１及び第２グリップ２１のそれぞれの表面上において、各所定の位置にそれぞれ配設されている。
ここで、第１シャッターボタン１２と、第１フロントダイヤル１３と、第１リアボタン１６と、第１リアダイヤル１７とは、第１グリップ１１における領域Ａ１（図１，図３参照）の範囲内に設けられている。このような配置により、これらの操作部材（１２，１３，１６，１７）は、本撮像装置１を第１姿勢とする通常の横位置撮影時に、使用者が主に右手の指を用いて操作する操作部材となっている。
【００６５】
具体的には、第１シャッターボタン１２と第１フロントダイヤル１３とは、第１グリップ１１における領域Ａ１のうち主に上面側若しくは前面側の所定の領域に配設されている。この場合において、第１シャッターボタン１２と第１フロントダイヤル１３とは、主に使用者の右手の人差し指を用いて操作される。
【００６６】
そのために、第１シャッターボタン１２と第１フロントダイヤル１３とは、第１グリップ１１の領域Ａ１における上面側若しくは前面側領域のうち、第１グリップ１１を右手で把持した状態のときに、同右手の人差し指が届く範囲内の領域に配設されている。特に、第１シャッターボタン１２及び第１フロントダイヤル１３は、使用者が第１グリップ１１を右手で把持した状態で、同右手人差し指が無理なく自然に動かして操作することのできる範囲内に配設されている。
【００６７】
一方、第１リアボタン１６と第１リアダイヤル１７とは、第１グリップ１１における領域Ａ１のうち主に背面の所定の領域に配設されている。この場合において、第１リアボタン１６と第１リアダイヤル１７とは、主に使用者の右手の親指を用いて操作される。
【００６８】
そのために、第１リアボタン１６と第１リアダイヤル１７とは、第１グリップ１１の領域Ａ１における背面領域のうち、第１グリップ１１を右手を用いて把持した状態のときに、同右手の親指が届く範囲内の領域に配設されている。特に、第１リアボタン１６及び第１リアダイヤル１７は、使用者が第１グリップ１１を右手で把持した状態で、同右手親指が無理なく自然に動かして操作することのできる範囲内に配設されている。これにより、第１リアボタン１６及び第１リアダイヤル１７とを第１背面操作部材というものとする。
【００６９】
また、第２シャッターボタン２２と、第２フロントダイヤル２３と、第２リアボタン２６と、第２リアダイヤル２７とは、第２グリップ２１における領域Ａ２（図１，図４参照）の範囲内に設けられている。このような配置により、これらの操作部材（２２，２３，２６，２７）は、本撮像装置１を第２姿勢とする縦位置撮影時に、使用者が主に右手の指を用いて操作する操作部材となっている。
【００７０】
具体的には、第２シャッターボタン２２と第２フロントダイヤル２３とは、第２グリップ２１における領域Ａ２のうち主に上面側若しくは前面側の所定の領域に配設されている。この場合において、第２シャッターボタン２２と第２フロントダイヤル２３とは、主に使用者の右手の人差し指を用いて操作される。
【００７１】
そのために、第２シャッターボタン２２と第２フロントダイヤル２３とは、第２グリップ２１の領域Ａ２における上面側若しくは前面側領域のうち、第２グリップ２１を右手で把持した状態のときに、同右手の人差し指が届く範囲内の領域に配設されている。特に、第２シャッターボタン２２及び第２フロントダイヤル２３は、使用者が第２グリップ２１を右手で把持した状態で、同右手人差し指が無理なく自然に動かして操作することのできる範囲内に配設されている。
【００７２】
このように、第１シャッターボタン１２と第２シャッターボタン２２とは同じ機能を有しており、かつ、第１姿勢にあるときの第１シャッターボタン１２と、第２姿勢にあるときの第２シャッターボタン２２とは、ボディ筐体１０の表面上において略同様の形態となるように配置されている。
【００７３】
同様に、第１フロントダイヤル１３と第２フロントダイヤル２３とに同じ機能を割り当てれば、第１姿勢にあるときの第１フロントダイヤル１３と、第２姿勢にあるときの第２フロントダイヤル２３とはボディ筐体１０の表面上において略同様の形態となるように配置されるので、縦位置撮影時と横位置撮影時とで操作性を略同様にすることができる。
【００７４】
一方、第２リアボタン２６と第２リアダイヤル２７とは、第２グリップ２１における領域Ａ２のうち主に背面の所定の領域に配設されている。この場合において、第２リアボタン２６と第２リアダイヤル２７とは、主に使用者の右手の親指を用いて操作される。
【００７５】
そのために、第２リアボタン２６と第２リアダイヤル２７とは、第２グリップ２１の領域Ａ２における背面領域のうち、第２グリップ２１を右手を用いて把持した状態のときに、同右手の親指が届く範囲内の領域に配設されている。特に、第２リアボタン２６及び第２リアダイヤル２７は、使用者が第２グリップ２１を右手で把持した状態で、同右手親指が無理なく自然に動かして操作することのできる範囲内に配設されている。これにより、第２リアボタン２６及び第２リアダイヤル２７とを第２背面操作部材というものとする。
【００７６】
このように、第１リアボタン１６と第２リアボタン２６とに同じ機能を割り当てれば、第１姿勢にあるときの第１リアボタン１６と、第２姿勢にあるときの第２リアボタン２６とは、ボディ筐体１０の表面上において略同様の形態となるように配置されるので、縦位置撮影時と横位置撮影時とで操作性を略同様にすることができる。
【００７７】
同様に、第１リアダイヤル１７と第２リアダイヤル２７とに同じ機能を割り当てれば、第１姿勢にあるときの第１リアダイヤル１７と、第２姿勢にあるときの第２リアダイヤル２７とはボディ筐体１０の表面上において略同様の形態となるように配置されるので、縦位置撮影時と横位置撮影時とで操作性を略同様にすることができる。
【００７８】
次に、第１フロントＡボタン１４及び第２フロントＡボタン２４と、第１フロントＢボタン１５及び第２フロントＢボタン２５と、レンズ取り外しボタン３３とは、ボディ筐体１０の前面において、前面開口１０ａの周縁部近傍にそれぞれ配設されている。
【００７９】
ここで、レンズ取り外しボタン３３は、前面開口１０ａの周縁部近傍において、第１グリップ１１が設けられている側とは反対側の領域に配設されている。
【００８０】
一方、第１フロントＡボタン１４と第１フロントＢボタン１５とは、前面開口１０ａの周縁部（レンズ鏡筒装着部の周縁部）近傍のうち、第１グリップ１１近傍の領域にそれぞれ配設されている（図１参照）。このような配置により、第１フロントＡボタン１４と第１フロントＢボタン１５とは、本撮像装置１を第１姿勢とする通常の横位置撮影時に、使用者が主に右手の指を用いて操作する操作部材となっている。これにより、第１フロントＡボタン１４と第１フロントＢボタン１５とを第１前面操作部材というものとする。
【００８１】
そして、この場合において、第１フロントＡボタン１４と第１フロントＢボタン１５とは、第１グリップ１１を把持する右手の中指及び薬指を用いて操作される。そのために、第１フロントＡボタン１４と第１フロントＢボタン１５とは、第１グリップ１１を右手を用いて把持した状態のときに、ボディ筐体１０の前面において、同右手の中指及び薬指が届く範囲内の領域に配設されている。
【００８２】
他方、第２フロントＡボタン２４と第２フロントＢボタン２５とは、前面開口１０ａの周縁部（レンズ鏡筒装着部の周縁部）近傍のうち、第２グリップ２１近傍の領域にそれぞれ配設されている（図１参照）。このような配置により、第２フロントＡボタン２４と第２フロントＢボタン２５とは、本撮像装置１を第２姿勢とする縦位置撮影時に、使用者が主に右手の指を用いて操作する操作部材となっている。これにより、第２フロントＡボタン２４と第２フロントＢボタン２５とを第２前面操作部材というものとする。
【００８３】
そして、この場合において、第２フロントＡボタン２４と第２フロントＢボタン２５とは、第２グリップ２１を把持する右手の中指及び薬指を用いて操作される。そのために、第２フロントＡボタン２４と第２フロントＢボタン２５とは、第２グリップ２１を右手を用いて把持した状態のときに、ボディ筐体１０の前面において、同右手の中指及び薬指が届く範囲内の領域に配設されている。
【００８４】
このように、第１フロントＡボタン１４と第２フロントＡボタン２４とは同じ機能を有しており、かつ、第１姿勢にあるときの第１フロントＡボタン１４と、第２姿勢にあるときの第２フロントＡボタン２４とは、ボディ筐体１０の表面上において略同様の形態となるように配置されている。
【００８５】
同様に、第１フロントＢボタン１５と第２フロントＢボタン２５とは同じ機能を有しており、かつ、第１姿勢にあるときの第１フロントＢボタン１５と、第２姿勢にあるときの第２フロントＢボタン２５とは、ボディ筐体１０の表面上において略同様の形態となるように配置されている。
【００８６】
次に、第１ジョイスティック１８は、ボディ筐体１０の背面において、第１グリップ１１の第１サムグリップ１１ｂの近傍（領域Ｃ１近傍）に配設されている（図２参照）。このような配置により、第１ジョイスティック１８は、本撮像装置１を第１姿勢とする通常の横位置撮影時に、使用者が右手の親指を用いて操作する操作部材となっている。そのために、第１ジョイスティック１８は、第１グリップ１１を右手を用いて把持した状態のときに、ボディ筐体１０の背面において、同右手の親指が無理なく届く範囲内の領域に配設されている。これにより、第１ジョイスティック１８も第１背面操作部材に含まれるものとする。
【００８７】
第２ジョイスティック２８は、ボディ筐体１０の背面において、第２グリップ２１の第２サムグリップ２１ｂの近傍（領域Ｃ２近傍）に配設されている（図２参照）。このような配置により、第２ジョイスティック２８は、本撮像装置１を第２姿勢とする縦位置撮影時に、使用者が右手の親指を用いて操作する操作部材となっている。そのために、第２ジョイスティック２８は、第２グリップ２１を右手を用いて把持した状態のときに、ボディ筐体１０の背面において、同右手の親指が無理なく届く範囲内の領域に配設されている。これにより、第２ジョイスティック２８も第２背面操作部材に含まれるものとする。
【００８８】
次に、本実施形態の撮像装置１の電気的な内部構成の概略を、図５を用いて以下に簡単に説明する。
【００８９】
図５に示すように、本実施形態の撮像装置１は、撮像部４１（撮像ユニット）と、制御部４２と、操作部４３と、通信部４４と、記録部４５と、姿勢検出部４６と、電源部４７と、電子ビューファインダー（ＥＶＦ）３４及び背面モニター３５等を有して構成されている。
【００９０】
撮像ユニットである撮像部４１は、撮像光学系４８と、撮像素子３１等を含んで構成される構成ユニットである。ここで、撮像光学系４８は、撮像対象物（被写体）からの光を透過させて、当該被写体の光学像を結像させる複数の光学レンズ等によって構成される構成ユニットである。この撮像光学系４８は、レンズ鏡筒ユニット（不図示）に含まれている。
【００９１】
なお、図５においては、撮像光学系４８と撮像素子３１とを同一ブロックとして図示しているが、撮像光学系４８と撮像素子３１とは、別体の構成ユニットとして構成されていてもよい。例えば撮像光学系４８は、ボディ筐体１０とは別体に構成され、当該ボディ筐体１０に対し着脱自在に形成されるレンズ鏡筒ユニットに含めて構成する一方、撮像素子３１は、ボディ筐体１０の内部に配設するといった構成、即ちレンズ交換式撮像装置等が考えられる。
【００９２】
撮像素子３１は、撮像光学系４８によって結像された被写体像を受光して光電変換処理を行い、所定の画像信号を取得する電子部品である。当該撮像素子３１によって取得される画像信号に基づいて表示される画像は長方形状の画像である。
【００９３】
この撮像素子３１は、例えばＣＣＤ（Ｃｈａｒｇｅ  Ｃｏｕｐｌｅｄ  Ｄｅｖｉｃｅ；電荷結合素子）等の回路素子を用いたＣＣＤイメージセンサー若しくはＭＯＳ（Ｍｅｔａｌ  Ｏｘｉｄｅ  Ｓｅｍｉｃｏｎｄｕｃｔｏｒ；金属酸化膜半導体）等を用いたＭＯＳ型イメージセンサー等の固体撮像素子である光電変換素子等が適用される。撮像素子３１によって生成されたアナログ画像信号は、後述する制御部４２の画像処理部４２ａへと出力されてデジタル変換された後、各種の画像信号処理が行なわれる。
【００９４】
制御部４２は、撮像装置１の全体を統括的に制御する制御回路及びソフトウエアプログラムを含む構成部である。制御部４２は例えばＣＰＵ（Central Processing Unit；中央処理装置）等を用いたプロセッサ（processor；処理装置）を含む複数の電気部品等によって構成される電子回路である。
【００９５】
制御部４２は複数の制御回路等と対応する各種ソフトウエアプログラムを含んで構成されている。即ち、制御部４２は、画像処理部４２ａと、動作モード変更制御部４２ｂと、パラメータ制御部４２ｃと、表示制御部４２ｄと、通信制御部４２ｅと、記録制御部４２ｆと、姿勢判定部４２ｇと、電源制御部４２ｈ等を有して構成されている。
【００９６】
画像処理部４２ａは、撮像素子３１からの出力信号を受けて、各種の画像信号処理、例えば表示用画像データや記録用画像データ等を生成する処理を施す処理回路及びソフトウエアプログラム等を含む構成部である。この画像処理部４２ａにおいて生成された画像データは、例えば、表示制御部４２ｄ等において所定の処理が行われた後、表示装置（３４，３５）等へと出力されて画像として表示される。
【００９７】
動作モード変更制御部４２ｂは、複数の操作部材のうちの所定の操作部材が操作されることにより発生する動作モード変更指示信号を受けて、当該指示信号に対応する動作モードの変更処理を制御する制御回路及びソフトウエアプログラム等を含む構成部である。
【００９８】
パラメータ制御部４２ｃは、パラメータ設定動作時に、指定された設定動作に対応する所定のパラメータ値の変更を指示する指示信号を受けて、対応するパラメータ値の変更処理を制御する制御回路及びソフトウエアプログラム等を含む構成部である。
【００９９】
表示制御部４２ｄは、電子ビューファインダー（ＥＶＦ）３４及び背面モニター３５を制御して、所定の表示（画像表示や設定メニュー表示，警告表示等の各種の表示）処理を制御する制御回路及びソフトウエアプログラム等を含む構成部である。
【０１００】
通信制御部４２ｅは、通信部４４を制御して外部通信機器（不図示）との間での通信処理を制御する制御回路及びソフトウエアプログラム等を含む構成部である。
【０１０１】
記録制御部４２ｆは、画像処理部４２ａにて処理後の画像信号を圧縮処理し、圧縮後の画像を記録部４５へと出力して記録させる信号処理を行ったり、記録部４５に含まれる記録媒体の駆動制御等を行って、記録媒体に記録済みの画像データの読込処理や、記録媒体への画像データの書込処理等を行う制御処理回路及びソフトウエアプログラム等を含む構成部である。
【０１０２】
姿勢判定部４２ｇは、姿勢検出部４６からの出力信号を受けて、当該撮像装置１のボディ筐体１０の姿勢（例えば横位置撮影の第１姿勢又は縦位置撮影の第２姿勢等）を判定する回路部及びソフトウエアプログラム等を含む構成部である。
【０１０３】
電源制御部４２ｈは、電源部４７に含まれる電源用バッテリに関する各種の制御を行う制御回路及びソフトウエアプログラム等を含む構成部である。
【０１０４】
操作部４３は、上述の複数の操作部材（１２〜１８，２２〜２８等）に各対応する複数のスイッチ部材などを含む構成部である。
【０１０５】
通信部４４は、通信制御部４２ｅに制御されることにより、当該撮像装置１と外部通信機器（不図示）との間で、有線通信手段若しくは無線通信手段を介して各種の制御信号若しくは画像データ信号を含む各種の情報信号等の相互通信を行うための回路部及びソフトウエアプログラム等を含む構成部である。
【０１０６】
通信部４４としては、例えば、ＵＳＢ規格の有線通信やＷｉｆｉ（登録商標）等の無線ＬＡＮ，ブルートゥース（登録商標）等による無線通信等を可能とするように構成している。
【０１０７】
記録部４５は、撮像素子３１から出力され画像処理部４２ａにて処理済みの画像データを受けて、これを所定の形態に変換する信号処理回路部や、この信号処理回路部によって生成された画像データを記録する記録媒体、当該記録媒体を駆動制御する制御回路及びソフトウエアプログラム等を含んで構成される構成ユニットである。
【０１０８】
この記録部４５にて実行される画像信号変換処理としては、例えば信号圧縮処理等を含む記録画像データへの変換処理や、記録媒体に記録済みの画像データを読み込んで伸長処理等を施して所定の形態の画像信号に復元させる信号処理等である。なお、記録部４５に含まれる記録媒体は、例えばカード形状に形成され、撮像装置１のボディ筐体１０に対して着脱自在に構成した、カード型半導体メモリを主に想定している。しかしながら，記録媒体の構成例としては、この種の形態に限られることはない。例えば、撮像装置１の内部電気基板（不図示）上に実装される内部固定メモリ等を記録媒体として用いるような構成としてもよい。
【０１０９】
なお、上述の圧縮伸長処理については、記録部４５に含まれる信号処理回路部で実行する形態に限られることはない。このような画像データの圧縮伸張処理は、例えば制御部４２内に同様の信号処理回路部を設けるといった形態としても実現できる。
【０１１０】
また、記録部４５には、撮像素子３１によって取得された画像データ等を一時的に記録しておく一時記憶回路部のほか、本撮像装置１において動作させる各種のプログラム等を記憶しておく記憶媒体を設けて構成してもよい。この場合に用いられる記憶回路部としては、例えばＥＥＰＲＯＭ（Electrically Erasable Programmable Read-Only Memory），ＲＡＭ（Random Access Memory）等の半導体メモリ素子等を適用することができる。
【０１１１】
姿勢検出部４６は、当該撮像装置１のボディ筐体１０の姿勢を検出する検出素子、例えば加速度センサやジャイロセンサ等によって構成される構成ユニットである。
【０１１２】
電源部４７は、当該撮像装置１の内部に収納される電源用バッテリを含み、この電源用バッテリからの供給電力、若しくは外部商用電源からケーブル接続によって供給される電力を受けて、当該撮像装置１の各構成ユニットに対して電源制御部４２ｈの制御下において適宜必要な電力を供給する構成ユニットである。本実施形態の撮像装置１における電源部４７は、例えば第２グリップ２１の内部に配設されている。
【０１１３】
電子ビューファインダー（ＥＶＦ）３４及び背面モニター３５は、制御部４２の表示制御部４２ｄによって制御される表示装置である。電子ビューファインダー（ＥＶＦ）３４及び背面モニター３５は、例えば撮像素子３１によって取得され、制御部４２の画像処理部４２ａによって所定の処理が施された画像データに基いてライブビュー画像を表示したり、記録部４５に記録済みの画像データに基いて画像の再生表示を行ったり、記録部４５等に予め用意された各種アイコンデータ等に基くアイコンやメニュー画面等を表示する。
【０１１４】
換言すると、電子ビューファインダー（ＥＶＦ）３４及び背面モニター３５は、撮影モード時には表示制御部４２ｄの制御下において、撮像素子３１によって取得され画像処理部４２ａを経て処理済み画像データに基いて順次連続的にリアルタイムの画像を表示し続けることによって、撮影範囲の観察や確認をリアルタイムで行なうためのモニタ装置として機能する一方、再生モード時には表示制御部４２ｄの制御下において記録済みの画像データに基く画像を再生表示する表示装置として機能する。
【０１１５】
このように構成される本実施形態の撮像装置１の作用を、図６〜図１５及び図１６，図１７を用いて以下に説明する。
【０１１６】
図６〜図１０は、本発明の一実施形態の撮像装置を第１姿勢としたときに、使用者が右手によって第１グリップを把持している様子を示す図である。このうち、図６は撮像装置の前面の平面図である（図１に相当）。図７は撮像装置の右斜め上方から前面側を見た際の斜視図である。図８は撮像装置の右側面の平面図である（図３に相当）。図９，図１０は撮像装置の背面の平面図である（図２に相当）。ここで、図９は右手親指で第１ジョイスティック（１８）を操作している状態を示している。また、図１０は右手親指で第１リアボタン（１６）を操作している状態を示している。
【０１１７】
図１１〜図１５は、本発明の一実施形態の撮像装置を第２姿勢としたときに、使用者が右手によって第２グリップを把持している様子を示す図である。このうち、図１１は撮像装置の前面の平面図である。図１２は撮像装置の右斜め上方から前面側を見た際の斜視図である。図１３は撮像装置の底面の平面図である（図４に相当）。図１４，図１５は撮像装置の背面の平面図である。ここで、図１４は右手親指で第２ジョイスティック（２８）を操作している状態を示している。また、図１５は右手親指で第２リアボタン（２６）を操作している状態を示している。
【０１１８】
また、図１６は、本発明の一実施形態の撮像装置の作用の流れを概略的に示すフローチャートである。図１７は、図１６のフローチャートのうちステップＳ１６の処理（モード設定，撮像パラメータ調節制御処理）の詳細を示すフローチャートである。
【０１１９】
本実施形態の撮像装置１を手に持って撮影を行う際には、使用者は、撮像装置１の第１グリップ１１又は第２グリップ２１を右手１００で把持することになる。
【０１２０】
この場合において、横位置撮影を行う際には、撮像装置１を第１姿勢とし、第１グリップ１１を右手１００で把持する（図６〜図１０参照）。また、縦位置撮影を行う際には、撮像装置１を第２姿勢とし、第２グリップ２１を右手１００で把持する（図１１〜図１５参照）。なお、この場合においては、同時に左手をレンズ鏡筒ユニット（不図示）に添えて、両手で保持するのが、撮像装置１の一般的な構え方となる。しかしながら、本発明の主旨は、右手の手指を用いて操作する操作部材の配置に着目したものである。したがって、本実施形態の説明及び図面においては、左手についての説明及び図示を省略している。
【０１２１】
まず、本実施形態の撮像装置１を用いて横位置撮影を行う際に、当該撮像装置１を第１姿勢として第１グリップ１１を右手１００で把持する場合の作用を説明する（図６〜図１０参照）。
【０１２２】
撮像装置１を第１姿勢として第１グリップ１１を右手１００で把持した場合、図６〜図８に示すように、右手の中指１０３（特に第２関節辺り）を第１段差部１１ａの下縁に沿わせて配置して、中指１０３，薬指１０４，小指と手のひらを用いて第１グリップ１１の領域Ｂ１部分を包み込むように把持する。また、このとき、右手１００の人差し指１０２は、第１グリップ１１の領域Ａ１の上面側若しくは前面側近傍に軽く添えるように載置する。これと同時に、図７〜図１０に示すように、右手１００の親指１０１（特に付け根辺り）を第１サムグリップ１１ｂの傾斜面１１ｂｂに沿わせて配置し、親指１０１の腹を第１グリップ１１の領域Ａ１の背面に押し当てるように支持する。
【０１２３】
ここで、第１グリップ１１の領域Ａ１の上面側若しくは前面側近傍には、上述したように、第１グリップ１１を右手１００を用いて把持した状態のときに、右手１００の人差し指１０２を無理せずに動かして操作できる範囲内に、第１シャッターボタン１２と第１フロントダイヤル１３とが配置されている。
【０１２４】
また、第１グリップ１１の領域Ａ１における背面領域には、上述したように、第１グリップ１１を右手１００を用いて把持した状態のときに、右手１００の親指１０１を無理せずに動かして操作できる範囲内に、第１リアボタン１６と第１リアダイヤル１７と第１ジョイスティック１８とが配置されている（図９，図１０の矢印Ｒ１参照）。
【０１２５】
したがって、撮像装置１を第１姿勢として第１グリップ１１を右手１００で把持したとき、その把持状態を維持しつつ、右手１００の人差し指１０２を用いて第１シャッターボタン１２と第１フロントダイヤル１３とを、必要に応じて無理なく操作することができると共に、かつ、右手１００の親指１０１を用いて第１リアボタン１６と第１リアダイヤル１７と第１ジョイスティック１８とを、必要に応じて無理なく操作することができる配置となっている。
【０１２６】
さらに、この状態（第１グリップ１１を右手で把持した状態）においては、図６に示すように、右手１００の中指１０３，薬指１０４の指先の近傍に、第１フロントＡボタン１４と第１フロントＢボタン１５とが配置されている。
【０１２７】
したがって、撮像装置１を第１姿勢として第１グリップ１１を右手１００で把持したとき、その把持状態を維持しつつ、右手１００の中指１０３，薬指１０４を用いて第１フロントＡボタン１４と第１フロントＢボタン１５とを、必要に応じて無理なく操作することができる配置となっている。
【０１２８】
この状態においては、右手の中指１０３は第１グリップ１１の前面側の第１段差部１１ａによって支持されていると共に、同右手の親指１０１は第１グリップ１１の背面側の第１サムグリップ１１ｂによって支持されている。これにより、当該撮像装置１は使用者の手によって確実に保持されていると同時に、人差し指１０２は第１シャッターボタン１２と第１フロントダイヤル１３とを操作することができ、中指１０３及び薬指１０４は第１フロントＡボタン１４と第１フロントＢボタン１５とを操作することができ、親指１０１は第１リアボタン１６と第１リアダイヤル１７と第１ジョイスティック１８とを操作することができる。
【０１２９】
一方、本実施形態の撮像装置１を用いて縦位置撮影を行う際に、当該撮像装置１を第２姿勢として第２グリップ２１を右手１００で把持する場合の作用を説明する（図１１〜図１５参照）。
【０１３０】
撮像装置１を第２姿勢として第２グリップ２１を右手１００で把持した場合、図１１〜図１３に示すように、右手の中指１０３（特に第２関節辺り）を第２段差部２１ａの下縁に沿わせて配置して、中指１０３，薬指１０４，小指と手のひらを用いて第２グリップ２１の領域Ｂ２部分を包み込むように把持する。また、このとき、右手１００の人差し指１０２は、第２グリップ２１の領域Ａ２の上面側若しくは前面側近傍に軽く添えるように載置する。これと同時に、図１２〜図１５に示すように、右手１００の親指１０１（特に付け根辺り）を第２サムグリップ２１ｂの傾斜面２１ｂｂに沿わせて配置し、親指１０１の腹を第２グリップ２１の領域Ａ２の背面に押し当てるように支持する。
【０１３１】
ここで、第２グリップ２１の領域Ａ２の上面側若しくは前面側近傍には、上述したように、第２グリップ２１を右手１００を用いて把持した状態のときに、右手１００の人差し指１０２を無理せずに動かして操作できる範囲内に、第２シャッターボタン２２と第２フロントダイヤル２３とが配置されている。
【０１３２】
また、第２グリップ２１の領域Ａ２における背面領域には、上述したように、第２グリップ２１を右手１００を用いて把持した状態のときに、右手１００の親指１０１を無理せずに動かして操作できる範囲内に、第２リアボタン２６と第２リアダイヤル２７と第２ジョイスティック２８とが配置されている（図１４，図１５の矢印Ｒ２参照）。
【０１３３】
したがって、撮像装置１を第２姿勢として第２グリップ２１を右手１００で把持したとき、その把持状態を維持しつつ、右手１００の人差し指１０２を用いて第２シャッターボタン２２と第２フロントダイヤル２３とを、必要に応じて無理なく操作することができ、ると共に、かつ、右手１００の親指１０１を用いて第２リアボタン２６と第２リアダイヤル２７と第２ジョイスティック２８とを、必要に応じて無理なく操作することができる配置となっている。
【０１３４】
さらに、この状態（第２グリップ２１を右手で把持した状態）においては、図１１に示すように、右手１００の中指１０３及び薬指１０４の指先の近傍に、第２フロントＡボタン２４と第２フロントＢボタン２５とが配置されている。
【０１３５】
したがって、撮像装置１を第２姿勢として第２グリップ２１を右手１００で把持したとき、その把持状態を維持しつつ、右手１００の中指１０３及び薬指１０４を用いて第２フロントＡボタン２４と第２フロントＢボタン２５とを、必要に応じて無理なく操作することができる配置となっている。
【０１３６】
この状態においては、右手の中指１０３は第２グリップ２１の前面側の第２段差部２１ａによって支持されていると共に、同右手の親指１０１は第２グリップ２１の背面側の第２サムグリップ２１ｂによって支持されている。これにより、当該撮像装置１は使用者の手によって確実に保持されていると同時に、人差し指１０２は第２シャッターボタン２２と第２フロントダイヤル２３とを操作することができ、中指１０３及び薬指１０４は第２フロントＡボタン２４と第２フロントＢボタン２５とを操作することができ、親指１０１は第２リアボタン２６と第２リアダイヤル２７と第２ジョイスティック２８とを操作することができる。
【０１３７】
なお、図８に示すように、撮像装置１を第１姿勢として第１グリップ１１を右手１００で把持した場合に、右手の中指１０３で支持される第１グリップ１１の第１段差部１１ａと同右手の親指１０１で支持される第１グリップ１１の第１サムグリップ１１ｂとの間隔寸法を符号Ｄ１ａで示すものとする。
【０１３８】
同様に、図１３に示すように、撮像装置１を第２姿勢として第２グリップ２１を右手１００で把持した場合に、右手の中指１０３で支持される第２グリップ２１の第２段差部２１ａと同右手の親指１０１で支持される第２グリップ２１の第２サムグリップ２１ｂとの間隔寸法を符号Ｄ１ｂで示すものとする。
【０１３９】
この場合において、本実施形態の撮像装置１においては、間隔寸法Ｄ１ａと間隔寸法Ｄ１ｂとは略同寸法となるように設定されている。ここで、間隔寸法Ｄ１ａ，Ｄ１ｂは、具体的には、例えば平均的な手のひらサイズを考慮して約６０ｍｍ程度に設定されるのが望ましい。
【０１４０】
また、図６に示すように、第１グリップ１１の前面幅寸法を符号Ｄ２ａで示し、第１グリップ１１の右側面から第１フロントＡボタン１４及び第１フロントＢボタン１５までの間隔寸法を符号Ｄ３ａで示すものとする。
【０１４１】
同様に、図１１に示すように、第２グリップ２１の前面幅寸法を符号Ｄ２ｂで示し、第２グリップ２１の右側面から第２フロントＡボタン２４及び第２フロントＢボタン２５までの間隔寸法を符号Ｄ３ｂで示すものとする。
【０１４２】
この場合において、本実施形態の撮像装置１においては、間隔寸法Ｄ２ａと間隔寸法Ｄ２ｂとが略同寸法となるように設定されている。ここで、間隔寸法Ｄ２ａ，Ｄ２ｂは、主に中指１０３及び薬指１０４によって把持される部位である。そこで、具体的には、例えば平均的な中指１０３及び薬指１０４の長さを考慮して約３５ｍｍ程度に設定されるのが望ましい。
【０１４３】
同様に、間隔寸法Ｄ３ａと間隔寸法Ｄ３ｂとが略同寸法となるように設定されている。ここで、間隔寸法Ｄ３ａ，Ｄ３ｂは、主に中指１０３及び薬指１０４を伸長させた際の範囲内の部位である。そこで、間隔寸法Ｄ３ａ，Ｄ３ｂは、具体的には、例えば平均的な手のひらサイズ及び中指１０３及び薬指１０４の長さを考慮して約５０ｍｍ程度に設定されるのが望ましい。
【０１４４】
さらに、図１０に示すように、撮像装置１を第１姿勢として第１グリップ１１を右手１００で把持した場合に、右手の親指１０１で支持される第１グリップ１１の第１サムグリップ１１ｂと第１リアボタン１６との間隔寸法を符号Ｄ４ａで示すものとする。
【０１４５】
同様に、図１５に示すように、撮像装置１を第２姿勢として第２グリップ２１を右手１００で把持した場合に、右手の親指１０１で支持される第２グリップ２１の第２サムグリップ２１ｂと第２リアボタン２６との間隔寸法を符号Ｄ４ｂで示すものとする。
【０１４６】
この場合において、本実施形態の撮像装置１においては、間隔寸法Ｄ４ａと間隔寸法Ｄ４ｂとは略同寸法となるように設定されている。ここで、間隔寸法Ｄ４ａ，Ｄ４ｂは、具体的には、例えば平均的な親指１０１の長さを考慮して約３５ｍｍ程度に設定されるのが望ましい。
【０１４７】
なお、ここで、本実施形態の撮像装置１においては、右手の親指１０１の指先によって操作される操作部材は、第１姿勢の時には第１リアボタン１６のほかに第１リアダイヤル１７と第１ジョイスティック１８がある。また、第２姿勢の時には第２リアボタン２６のほかに第２リアダイヤル２７と第２ジョイスティック２８である。したがって、これらの操作部材（１６〜１８，２６〜２８）は、いずれも右手の親指１０１の届く範囲内に配置されている必要がある。
【０１４８】
ここで、間隔寸法Ｄ４ａ，Ｄ４ｂを、第１サムグリップ１１ｂ及び第２サムグリップ２１ｂと第１リアボタン１６及び第２リアボタン２６との各間隔としているのは、本撮像装置１の配置例においては、第１リアボタン１６，第２リアボタン２６が第１サムグリップ１１ｂ及び第２サムグリップ２１ｂのそれぞれから最も遠い位置に配置されていることが理由である。したがって、各操作部材の配置によっては、間隔寸法Ｄ４ａ，Ｄ４ｂは、第１サムグリップ１１ｂ及び第２サムグリップ２１ｂのそれぞれから最も遠くに配置される操作部材との間隔として設定すればよい。
【０１４９】
次に、本実施形態の撮像装置１の作用の流れの概略を、図１６，図１７のフローチャートを用いて以下に説明する。
【０１５０】
まず、本実施形態の撮像装置１は、電源がオン状態とされて起動している状態にあるものとする。この状態にあるとき、図１６のステップＳ１１において、制御部４２は、現在設定されている動作モードが撮像モードであるか否かの確認を行う。ここで、撮像モードに設定されている場合には、ステップＳ１２の処理に進む。また、撮像モード以外が設定されている場合には、ステップＳ１９の処理に進む。
【０１５１】
ステップＳ１２において、制御部４２は、姿勢判定部４２ｇを介して姿勢検出部４６からの出力信号を確認して、現在の撮像装置１の姿勢が、横位置撮影に対応する第１姿勢であるか、縦位置撮影に対応する第２姿勢であるかを判定する。ここで、横位置撮影に対応する第１姿勢であると判定された場合には、ステップＳ１３の処理に進む。また、縦位置撮影に対応する第２姿勢であると判定された場合には、ステップＳ１４の処理に進む。
【０１５２】
ステップＳ１３において、制御部４２は、横位置撮影用に適したユーザーインターフェース（ＵＩ）設定処理を実行する。ここで行われる設定処理は、例えば、横位置撮影用の操作部材（例えば複数の操作部材のうち符号１２〜１８で示す操作部材）を有効化し、縦位置撮影用の操作部材（例えば複数の操作部材のうち符号２２〜２８で示す操作部材）の機能を無効化する等の処理である。なお、ここで説明した例は、横位置撮影用ユーザーインターフェース設定処理の単なる一例であって、これに限られるものではない。その後、ステップＳ１５の処理に進む。
【０１５３】
一方、ステップＳ１４において、制御部４２は、縦位置撮影用に適したユーザーインターフェース（ＵＩ）設定処理を実行する。この縦位置撮影用ユーザーインターフェース設定処理は、上述の横位置撮影用ユーザーインターフェース設定処理と、略同様の処理である。その後、ステップＳ１５の処理に進む。
【０１５４】
続いて、ステップＳ１５において、制御部４２は、操作部４３を監視して、所定の指示信号（モード設定指示信号，撮像パラメータ信号）
が発生したか否かの確認を行う。ここで、当該所定の指示信号の発生が確認された場合には、ステップＳ１６の処理に進む。また、当該所定の指示信号の発生が確認されない場合には、ステップＳ１７の処理に進む。
【０１５５】
ステップＳ１６において、制御部４２は、上述のステップＳ１５の処理にて確認された指示信号に応じた制御処理（モード設定制御処理，撮像パラメータ調整制御処理）を実行する。当該処理が完了したら、ステップＳ１７の処理に進む。
【０１５６】
ステップＳ１７において、制御部４２は、記録処理の指示がなされたか否かの確認を行う。ここで記録処理とは、例えばシャッターボタンの押圧指示信号の発生をトリガーとして開始される撮像動作処理（撮像光学系の焦点距離調整、撮像素子による露出制御処理、画像信号の取得（キャプチャ）処理、取得画像信号の各種画像処理、取得した画像データの記録媒体への記録処理などの一連の処理）をさすものとする。ここで、記録処理の指示が確認された場合には、ステップＳ１８の処理に進む。また、記録処理の指示が確認されない場合には、ステップＳ１１の処理に戻り、以降の処理を繰り返す。
【０１５７】
ステップＳ１８において、制御部４２は、所定の記録処理を実行する。その後、ステップＳ１１の処理に戻り、以降の処理を繰り返す。
【０１５８】
一方、上述のステップＳ１１の処理にて撮像モード以外の動作モードが設定されているものと判断されて、ステップＳ１９の処理に進むと、このステップＳ１９において、制御部４２は、現在設定されている動作モードが通信設定モードであるか否かの確認を行う。ここで、通信設定モードに設定されている場合には、ステップＳ２０の処理に進む。また、通信設定モード以外が設定されている場合には、ステップＳ２１の処理に進む。
【０１５９】
ステップＳ２０において、制御部４２は、所定の通信設定処理を実行する。その後、ステップＳ２１の処理に進む。
【０１６０】
ステップＳ２１において、制御部４２は、現在設定されている動作モードが再生モードであるか否かの確認を行う。ここで、再生モードに設定されている場合には、ステップＳ２２の処理に進む。また、再生モード以外が設定されている場合には、ステップＳ１１の処理に戻り、以降の処理を繰り返す。
【０１６１】
ステップＳ２２において、制御部４２は、所定の画像再生処理を実行する。その後、ステップＳ２３の処理に進む。
【０１６２】
ステップＳ２３において、制御部４２は、現在設定されている動作モードが外部送信モードであるか否かの確認を行う。ここで、外部送信モードに設定されている場合には、ステップＳ２４の処理に進む。また、外部送信モードが設定されていない場合には、ステップＳ２５の処理に進む。
【０１６３】
ステップＳ２４において、制御部４２は、所定の外部送信モードによる動作を実行する。例えば、選択指定された画像データを、通信制御部４２ｅを介して通信部４４を制御して、外部通信機器（不図示）への送信処理を実行する。処理が完了したら、ステップＳ２５の処理に進む。
【０１６４】
ステップＳ２５において、制御部４２は、再生動作の終了指示信号が発生したか否かの確認を行う。ここで、再生終了指示信号が確認された場合には、ステップＳ１１の処理に戻り、以降の処理を繰り返す。また、再生終了指示信号が確認されない場合には、ステップＳ２３の処理に戻り、以降の処理を繰り返す。
【０１６５】
次に、上述の図１６のステップＳ１６の処理、即ちモード設定制御処理若しくは撮像パラメータ調整制御処理の詳細を以下に説明する。
【０１６６】
図１７のステップＳ３１において、制御部４２は、モード変更指示信号が発生しているか否かの確認を行う。このモード変更指示信号は、例えば、設定メニュー（ソフトウエアプログラム）及び所定の操作部材を用いて行われる操作に応じて出力される指示信号のうち、各種の動作モードの変更を指示する指示信号である。また、モード変更指示信号としては、複数の操作部材に含まれるモード変更ダイヤル等（不図示）を操作することによって発生する指示信号も含まれる。
【０１６７】
ここで、モード変更指示信号が確認された場合には、ステップＳ３２の処理に進む。また、モード変更指示信号が確認されない場合には、ステップＳ３３の処理に進む。
【０１６８】
ステップＳ３２において、制御部４２は、上述のステップＳ３１の処理にて確認されたモード変更指示信号に応じたモード変更制御処理を実行する。当該処理の完了後、元の処理に戻り、図１６のステップＳ１７の処理に進む（リターン）。
【０１６９】
一方、ステップＳ３３において、制御部４２は、ダイヤル機能切り換え指示信号が発生しているか否かの確認を行う。このダイヤル機能切り換え指示信号は、例えば設定メニュー（ソフトウエアプログラム）及び所定の操作部材を用いて行われる操作に応じて出力される指示信号のうち、各種のダイヤル操作部材に割り当てられている機能の切り換えを行うための指示信号である。ダイヤル機能切り換え設定の具体的な例としては、例えばフロントダイヤルとリアダイヤルとのそれぞれに割り当てられている所定の機能の切り換えを行う等である。
【０１７０】
ここで、ダイヤル機能切り換え指示信号が確認された場合には、ステップＳ３４の処理に進む。また、ダイヤル機能切り換え指示信号が確認されない場合には、ステップＳ３５の処理に進む。
【０１７１】
ステップＳ３４において、制御部４２は、ダイヤル機能切り換え設定処理を実行する。当該処理の完了後、元の処理に戻り、図１６のステップＳ１７の処理に進む（リターン）。
【０１７２】
ステップＳ３５において、制御部４２は、複数の操作部材のうち所定のダイヤル操作部材による操作が行われたか否かの確認を行う。ここで、所定のダイヤル操作部材は、第１フロントダイヤル１３，第２フロントダイヤル２３，第１リアダイヤル１７，第２リアダイヤル２７を想定している。これら第１フロントダイヤル１３，第２フロントダイヤル２３，第１リアダイヤル１７，第２リアダイヤル２７は、上述したように、設定されている動作モードに関連するパラメータ値の設定値を、所望のパラメータ値へと変更し調整するための操作部材である。
【０１７３】
これらの第１フロントダイヤル１３，第２フロントダイヤル２３，第１リアダイヤル１７，第２リアダイヤル２７を用いてパラメータ値の設定変更操作を行う動作モードとしては、例えば、ＡＦターゲット選択設定，露出補正設定，ＩＳＯ感度設定，ホワイトバランス設定，マルチファンクション設定（ハイライト＆シャドウコントロール，カラークリエーター，拡大，アスペクト比設定の切り換え），フリッカースキャン設定，ＮＤフィルター設定，シャッター速度値設定，絞り値設定等がある。
【０１７４】
ここで、所定のダイヤル操作部材の操作が確認された場合には、ステップＳ３６の処理に進む。また、所定のダイヤル操作部材の操作が確認されない場合には、元の処理に戻り、図１６のステップＳ１７の処理に進む（リターン）。
【０１７５】
ステップＳ３６において、制御部４２は、操作が確認されたダイヤル操作部材の操作量（例えば回転量）を検出し、当該操作量に応じてパラメータ値の変更を切り換える処理を実行する。当該処理の完了後、元の処理に戻り、図１６のステップＳ１７の処理に進む（リターン）。
【０１７６】
ここで、例えば、一実施形態の撮像装置１を用いて、人物ポートレート撮影を行う際の作用を考えてみる。
【０１７７】
一般に、人物ポートレート撮影においては、撮像装置１を第２姿勢とする縦位置撮影が多用される。したがって、このような場合における基準姿勢としては第２姿勢となる。そこで、撮像装置１を第２姿勢として手に持って被写体に向かって構える場合においても、当該撮像装置１の通常使用時の（本来の）基準姿勢として設定されている横位置撮影時の第１姿勢で使用する場合と同等の操作性が確保されているのが望ましい。
【０１７８】
上述したように、本実施形態の撮像装置１においては、第２グリップ２１を右手で把持して使用すれば、第１グリップ１１を把持して使用する通常の場合と同等の操作性を得ることができるように構成されている。
【０１７９】
ここで、人物ポートレート撮影を行う場合には、例えば、撮影現場の状況に応じて、ＡＦターゲットの設定，露出補正設定，ＩＳＯ感度設定，ホワイトバランス設定，シャッター速度値設定，絞り値設定等を適宜変更しながら、かつ迅速に撮影を進めることになる。
【０１８０】
そこで、上述のような各種の設定を、簡単な操作で、かつファインダー（ＥＶＦ３４）を覗きながらであっても、迅速に変更し得るように構成されているのが望ましい。
【０１８１】
本実施形態の撮像装置１においては、例えば、第２グリップ２１を把持しつつ、ファインダー（電子ビューファインダー（ＥＶＦ）３４）を覗いたままの状態で、所望の設定変更操作を行ない得ることができる。
【０１８２】
例えば、第２フロントＡボタン２４に「露出補正設定」を、第２フロントＢボタン２５に「ＩＳＯ感度設定」を割り当ててあるものとする。なお、各操作ボタンへの所望の機能の割り当て設定は、設定メニューモードから設定メニュー（ソフトウエアプログラム）及び所定の操作部材を用いて、予め行っておくものとする。
【０１８３】
このように設定された撮像装置１を用いて、例えば人物ポートレート撮影を行うものとする。使用者は、撮像装置１の第２グリップ２１を把持して第２姿勢で構える。このとき、使用者は、ファインダー（ＥＶＦ３４）を覗きながら構図決定を行う。このとき、周囲環境に応じて、適宜露出補正設定を加えたり、ＩＳＯ感度設定を変更したりすることが必要となる。
【０１８４】
ここで、露出補正設定を行うためには、例えば、第２フロントＡボタン２４を右手の中指１０３の指先で押圧しながら、その押圧状態を保持したまま、同右手の親指１０１にて第２リアダイヤル２７を回転操作する。この第２リアダイヤル２７の回転方向によって、露出補正のプラス側（＋）又はマイナス側（−）を設定できる。また、第２リアダイヤル２７の回転量によって、露出補正のパラメータ値を調整できる。設定されるパラメータ値は、ファインダー（ＥＶＦ３４）の表示画面内の所定の領域に表示される。使用者は、この表示を見ながら所望のパラメータ値となるように、第２リアダイヤル２７の回転操作を調整する。
【０１８５】
また、ファインダー（ＥＶＦ３４）には、露出補正設定操作で変更されたパラメータ値を反映するライブビュー画像が表示される。使用者は、ファインダー（ＥＶＦ３４）を覗きながら露出補正設定操作を行うことにより、ファインダー（ＥＶＦ３４）のライブビュー画像の変化と、同表示画面内のパラメータ値の変化を見ながら、パラメータ値の調整を行うので、直感的な設定操作を行うことができる。
【０１８６】
所望のパラメータ値が設定されたら、右手の親指１０１による第２リアダイヤル２７の回転操作を止めると共に、右手の中指１０３による第２フロントＡボタン２４から指先を離して押圧操作を止める。これにより、所望のパラメータ値の設定が確定する。
【０１８７】
同様に、ＩＳＯ感度設定の変更を行なうためには、例えば、第２フロントＢボタン２５を右手の中指１０３の指先で一度押圧する。これにより、ＩＳＯ感度変更モードに切り換わる。この状態で、続いて、同右手の親指１０１にて第２リアダイヤル２７を回転操作する。この第２リアダイヤル２７の回転操作によって、ＩＳＯ感度の数値が順に切り換わる。このとき切り換わるパラメータ値は、ファインダー（ＥＶＦ３４）の表示画面内の所定の領域に表示される。使用者は、この表示を見ながら所望のパラメータ値となるように、第２リアダイヤル２７の回転操作を調整する。
【０１８８】
所望のパラメータ値が設定されたら、右手の親指１０１による第２リアダイヤル２７の回転操作を止めると共に、右手の中指１０３によって第２フロントＢボタン２５を再度押圧操作する。これにより、ＩＳＯ感度設定変更モードが解除されて、所望のパラメータ値の設定が確定する。
【０１８９】
使用者は、これらの全ての操作を、ファインダー（ＥＶＦ３４）を覗いた状態で、確実かつ迅速に行うことができる。この場合において、各操作部材（１２〜１８，２２〜２８）は、２つのグリップ（１１，２１）のうちそれぞれ対応するグリップ近傍に配置され、当該グリップを把持しつつ、把持手と同じ手指を用いて所望の操作を無理なく自然に行うことができるように配置されている。したがって、使用者は撮影に集中することができるようになる。
【０１９０】
以上説明したように上記一実施形態によれば、長方形状の画像を取得する撮像装置１であって、撮像光学系４８によって結像された光学像を受けて画像データを取得する撮像部４１（撮像ユニット）と、少なくとも撮像部４１（撮像ユニット）を内部に収納するボディ筐体１０と、ボディ筐体１０の外表面上における各所定の位置に配設される複数の操作部材（１２〜１８，２２〜２８）とを具備し、ボディ筐体１０は、ボディ筐体１０を第１姿勢としたときに把持される第１グリップ１１（第１把持部）が右側面（一側面）近傍に設けられ、ボディ筐体１０を第２姿勢としたときに把持される第２グリップ２１（第２把持部）がボディ筐体１０の右側面（一側面）に対して略直交する底面（他側面）近傍に設けられている。
【０１９１】
そして、複数の操作部材のうち、ボディ筐体１０の前面において第１グリップ１１（第１把持部）の近傍に第１前面操作部材（１４，１５）が設けられ、ボディ筐体１０の前面において第２グリップ２１（第２把持部）の近傍に第２前面操作部材（２４，２５）が設けられ、ボディ筐体１０の背面において第１グリップ１１（第１把持部）の近傍に第１背面操作部材（１６，１７，１８）が設けられ、ボディ筐体１０の背面において第２グリップ２１（第２把持部）の近傍に第２背面操作部材（２６，２７，２８）が設けられている。
【０１９２】
また、第１グリップ１１（第１把持部）の第１段差部１１ａ（第１前面支持部）は、当該第１グリップ１１（第１把持部）を把持する親指以外の手指（中指）によって支持され、第１サムグリップ１１ｂ（第１背面支持部）は、当該第１グリップ１１（第１把持部）を把持する親指によって支持される。第２グリップ２１（第２把持部）の第２段差部２１ａ（第２前面支持部）は、当該第２グリップ２１（第２把持部）を把持する親指以外の手指（中指）によって支持され、第２サムグリップ２１ｂ（第２背面支持部）は、当該第２グリップ２１（第２把持部）を把持する親指によって支持される。
【０１９３】
この場合において、第１段差部１１ａ（第１前面支持部）と第１前面操作部材（１４，１５）との間隔と、第２段差部２１ａ（第２前面支持部）と第２前面操作部材（２４，２５）との間隔とが均等に形成されている。また、第１サムグリップ１１ｂ（第１背面支持部）と第１背面操作部材（１６，１７，１８）との間隔と、第２サムグリップ２１ｂ（第２背面支持部）と第２背面操作部材（２６，２７，２８）との間隔とが均等に形成されている。
【０１９４】
このように構成することにより、ボディ筐体１０を第１姿勢で保持した場合と、ボディ筐体１０を第２姿勢で保持した場合とで、複数の操作部材を操作する際の操作性を同等とすることができる。
【０１９５】
このことから、例えば、ファインダー（ＥＶＦ３４）を覗いた状態のまま、操作部材を操作する手元を見ることなく、横位置か縦位置かに関わりなく、各種の操作を自然に行うことができ、常に良好な操作性を得ることができる。
【０１９６】
また、ボディ筐体１０が第１姿勢で保持されるときには、第１グリップ１１の第１段差部１１ａが親指以外の手指（中指）によって支持され、第１サムグリップ１１ｂが親指以外の手指（中指）によって支持される。ボディ筐体１０が第２姿勢で保持されるときには、第２グリップ２１の第２段差部２１ａが親指以外の手指（中指）によって支持され、第２サムグリップ２１ｂが親指によって支持される。
【０１９７】
このように構成することにより、ボディ筐体１０を確実に保持しながら、各グリップ（１１，２１）を把持する手指を用いて、各対応する操作を自在に行うことができる。また、横位置で把持したときと、縦位置で把持したときの把持感覚（グリップ性）が同じであり、撮影に関わる操作も同等のものとすることができるので、縦位置と横位置とを頻繁に持ち替えて使用したり、撮像装置１の姿勢を変えることが少ない状況であったとしても、撮像装置１の姿勢に関わらず、常に慣れた位置に操作部材が配置されているので、使用者は、撮像装置１の使用時には、意識せずとも、また操作部材を目視することなく、直感的に手探り（指探り）によっても、正しい操作を行うことができるので、操作ミスを軽減することができる。
【０１９８】
なお、プログラムで構成した部分を適宜、回路に置き換えることも可能である。上述の一実施形態の説明中において、「部」（セクションやユニット）として記載した部分は、専用の回路や、複数の汎用の回路を組み合わせて構成してもよく、必要に応じて、予めプログラムされたソフトウェアに従って動作を行うマイコン、ＣＰＵなどのプロセッサ、あるいはＦＰＧＡなどシーケンサを組み合わせて構成されてもよい。また、その制御の一部または全部を外部の装置が引き受けるような設計も可能で、この場合、有線や無線の通信回路が介在する。通信は、ブルートゥース（登録商標）やＷｉＦｉ（登録商標）、電話回線などで行えばよく、ＵＳＢなどで行っても良い。専用の回路、汎用の回路や制御部を一体としてＡＳＩＣとして構成してもよい。機械的に位置制御される部位（例えば移動部など）は、様々なアクチュエータと、必要に応じて移動用の連結メカニズムによって構成されており、ドライバ回路によってアクチュエータが作動する。このドライブ回路もまた、特定のプログラムに従ってマイコンやＡＳＩＣなどが制御する。こうした制御は各種センサやその周辺回路が出力する情報によって、詳細な補正、調整などが行われても良い。
【０１９９】
また、上述の一実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。即ち、特許請求の範囲，明細書及び図面中の動作フローに関して、便宜上「まず、」、「次に、」等を用いて説明したとしても、この順で実施することが必須であることを意味するものではない。また、これらの動作フローを構成する各ステップにおいては、発明の本質に影響しない部分について適宜省略することもできることは言うまでもない。
【０２００】
また、ここで説明した技術のうち、主にフローチャートで説明した制御や機能は、多くがソフトウエアプログラムにより設定できることが多くあり、そのソフトウエアプログラムをコンピュータが読み取り実行することで上述した制御や機能を実現することができる。そのソフトウエアプログラムは、コンピュータプログラム製品として、予め製品製造過程において上記記憶媒体や記憶部等、具体的には例えばフレキシブルディスク ＣＤ−ＲＯＭ等 不揮発性メモリ等の可搬媒体やハードディスク 揮発性メモリ等の記憶媒体に、その全体あるいは一部を記憶又は記録されている電子データである。また、これとは別に、製品出荷時又は可搬媒体或いは通信回線を介して流通又は提供ができるものである。利用者は、製品出荷後であっても、自ら通信ネットワークやインターネット等を介して、それらのソフトウエアプログラムをダウンロードしてコンピュータにインストールしたり、あるいは記憶媒体からコンピュータにインストールすることで、動作させるようにすることができ、これによって容易に本実施形態の撮像装置を実現することができる。
【０２０１】
本発明は上述した一実施形態に限定されるものではなく、発明の主旨を逸脱しない範囲内において種々の変形や応用を実施することができることは勿論である。さらに、上記一実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０２０２】
１……撮像装置
１０……ボディ
１０ａ……前面開口
１１……第１グリップ
１１ａ……第１段差部
１１ｂ……第１サムグリップ
１１ｂｂ……傾斜面
１２……第１シャッターボタン
１３……第１フロントダイヤル
１４……第１フロントＡボタン
１５……第１フロントＢボタン
１６……第１リアボタン
１７……第１リアダイヤル
１８……第１ジョイスティック
２１……第２グリップ
２１ａ……第２段差部
２１ｂ……第２サムグリップ
２１ｂｂ……傾斜面
２２……第２シャッターボタン
２３……第２フロントダイヤル
１４……第２フロントＡボタン
１５……第２フロントＢボタン
２６……第２リアボタン
２７……第２リアダイヤル
２８……第２ジョイスティック
３１……撮像素子
３２……マウントリング
３３……レンズ取り外しボタン
３４……電子ビューファインダー
３５……背面モニター
４１……撮像部
４２……制御部
４２ａ……画像処理部
４２ｂ……動作モード変更制御部
４２ｃ……パラメータ制御部
４２ｄ……表示制御部
４２ｅ……通信制御部
４２ｆ……記録制御部
４２ｇ……姿勢判定部
４２ｈ……電源制御部
４３……操作部
４４……通信部
４５……記録部
４６……姿勢検出部
４７……電源部
４８……撮像光学系
１００……右手
１０１……親指
１０２……人差し指
１０３……中指
１０４……薬指
Ｏ……光軸
【図１】
2020076830.tif 000003
【図２】
2020076830.tif 000004
【図３】
2020076830.tif 000005
【図４】
2020076830.tif 000006
【図５】
2020076830.tif 000007
【図６】
2020076830.tif 000008
【図７】
2020076830.tif 000009
【図８】
2020076830.tif 000010
【図９】
2020076830.tif 000011
【図１０】
2020076830.tif 000012
【図１１】
2020076830.tif 000013
【図１２】
2020076830.tif 000014
【図１３】
2020076830.tif 000015
【図１４】
2020076830.tif 000016
【図１５】
2020076830.tif 000017
【図１６】
2020076830.tif 000018
【図１７】
2020076830.tif 000019